(57)【要約】【課題】位置決め溝を高精度に設けることを必要としない製造容易な光スイッチを得る。【解決手段】複数本の固定側光ファイバ１ａにそれぞれ取り付けた複数個の固定側コリメータ１をその先端面を揃えた状態で、特別な位置決めをすることなく例えば束ねる。移動側コリメータ２から光を出射した状態で、移動側コリメータ２を固定側コリメータ群の先端面と平行なｘ−ｙ平面内で移動させながら、各固定側コリメータ１を導通する光のレベルをモニターして、それぞれの固定側コリメータ１について、導通した光パワーが最も強い時の移動側コリメータ２のｘ、ｙ座標をそれぞれの固定側コリメータの位置情報として記録するティーチング操作により固定側コリメータ座標テーブルを作成する。光スイッチとして動作する時は、接続しようとする固定側コリメータの座標を固定側コリメータ座標テーブルから読み出して、この読み出した座標に移動側コリメータを移動させる。【選択図】図１
2010014940.tif 000002
【特許請求の範囲】
【請求項１】
複数本の固定側光ファイバにそれぞれ取り付けた複数個の固定側コリメータをその先端面を揃えた状態で、特別な位置決めをすることなく束ね、１本の移動側光ファイバに取り付けた１個の移動側コリメータを前記固定側コリメータ群に対向配置し、
移動側コリメータから光を出射した状態で、移動側コリメータを前記固定側コリメータ群の先端面と平行なｘ−ｙ平面内で移動させながら、各固定側コリメータを導通する光のレベルをモニターして、それぞれの固定側コリメータについて、導通した光パワーが最も強い時の移動側コリメータのｘ、ｙ座標をそれぞれの固定側コリメータの位置情報として記録するティーチング操作により作成した固定側コリメータ座標テーブルを備え、
光スイッチとして動作する時は、移動側コリメータを接続しようとする固定側コリメータの座標を前記固定側コリメータ座標テーブルから読み出して、この読み出した座標に移動側コリメータを移動させるように構成されていることを特徴とする光スイッチ。
【請求項２】
複数本の固定側光ファイバにそれぞれ取り付けた複数個の固定側コリメータをその先端面を揃えた状態で、特別な位置決めをすることなく直線状に配置し、１本の移動側光ファイバに取り付けた１個の移動側コリメータを前記固定側コリメータ群に対向配置し、
移動側コリメータから光を出射した状態で、移動側コリメータを前記固定側コリメータ群の先端面がなす直線と平行な直線上で移動させながら、各固定側コリメータを導通する光のレベルをモニターして、それぞれの固定側コリメータについて、導通した光パワーが最も強い時の移動側コリメータの直線上の座標をそれぞれの固定側コリメータの位置情報として記録するティーチング操作により作成した固定側コリメータ座標テーブルを備え、
光スイッチとして動作する時は、移動側コリメータを接続しようとする固定側コリメータの座標を前記固定側コリメータ座標テーブルから読み出して、この読み出した座標に移動側コリメータを移動させるように構成されていることを特徴とする光スイッチ。
【請求項３】
複数本の固定側光ファイバにそれぞれ取り付けた複数個の固定側コリメータをその先端面を揃えた状態で円周上に、特別な位置決めをすることなく並べて配置し、１本の移動側光ファイバに取り付けた移動側コリメータを前記固定側コリメータ群が配置された円周に対向配置し、
移動側コリメータから光を出射した状態で、移動側コリメータを前記固定側コリメータ群が配置された円周と対向して平行な円周内で移動させながら、各固定側コリメータを導通する光のレベルをモニターして、それぞれの固定側コリメータについて、導通した光パワーが最も強い時の移動側コリメータのｘ、ｙ座標をそれぞれの固定側コリメータの位置情報として記録するティーチング操作により作成した固定側コリメータ座標テーブルを備え、
光スイッチとして動作する時は、移動側コリメータを接続しようとする固定側コリメータの座標を前記固定側コリメータ座標テーブルから読み出して、この読み出した座標に移動側コリメータを移動させるように構成されていることを特徴とする光スイッチ。
【請求項４】
複数本の固定側光ファイバにそれぞれ取り付けた複数個の固定側コリメータをその先端面を揃えた状態で、特別な位置決めをすることなく束ね、１本の移動側光ファイバに取り付けた１個の移動側コリメータを前記固定側コリメータ群に対向配置し、
各固定側コリメータについてそれぞれ、特定の固定側コリメータから光を出射した状態で、移動側コリメータを前記固定側コリメータ群の先端面と平行なｘ−ｙ平面内で移動させながら、移動側コリメータを導通する光のレベルをモニターして、移動側コリメータを導通した光パワーが最も強い時の移動側コリメータのｘ、ｙ座標を、前記特定の固定側コリメータの位置情報として記録するティーチング操作により作成した固定側コリメータ座標テーブルを備え、
光スイッチとして動作する時は、移動側コリメータを接続しようとする固定側コリメータの座標を前記固定側コリメータ座標テーブルから読み出して、この読み出した座標に移動側コリメータを移動させるように構成されていることを特徴とする光スイッチ。
【請求項５】
複数本の固定側光ファイバにそれぞれ取り付けた複数個の固定側コリメータをその先端面を揃えた状態で、特別な位置決めをすることなく直線状に配置し、１本の移動側光ファイバに取り付けた１個の移動側コリメータを前記固定側コリメータ群に対向配置し、
各固定側コリメータについてそれぞれ、特定の固定側コリメータから光を出射した状態で、移動側コリメータを前記固定側コリメータ群の先端面がなす直線と平行な直線上で移動させながら、移動コリメータを導通する光のレベルをモニターして、移動側コリメータを導通した光パワーが最も強い時の移動側コリメータの直線上の座標を、前記特定の固定側コリメータの位置情報として記録するティーチング操作により作成した固定側コリメータ座標テーブルを備え、
光スイッチとして動作する時は、移動側コリメータを接続しようとする固定側コリメータの座標を前記固定側コリメータ座標テーブルから読み出して、この読み出した座標に移動側コリメータを移動させるように構成されていることを特徴とする光スイッチ。
【請求項６】
複数本の固定側光ファイバにそれぞれ取り付けた複数個の固定側コリメータをその先端面を揃えた状態で円周上に、特別な位置決めをすることなく並べて配置し、１本の移動側光ファイバに取り付けた移動側コリメータを前記固定側コリメータ群が配置された円周に対向配置し、
各固定側コリメータについてそれぞれ、特定の固定側コリメータから光を出射した状態で、移動側コリメータを前記固定側コリメータ群が配置された円周と対向して平行な円周内で移動させながら、移動側コリメータを導通する光のレベルをモニターして、移動側コリメータを導通した光パワーが最も強い時の移動側コリメータのｘ、ｙ座標を、前記特定の固定側コリメータの位置情報として記録するティーチング操作により作成した固定側コリメータ座標テーブルを備え、
光スイッチとして動作する時は、移動側コリメータを接続しようとする固定側コリメータの座標を前記固定側コリメータ座標テーブルから読み出して、この読み出した座標に移動側コリメータを移動させるように構成されていることを特徴とする光スイッチ。
【請求項７】
請求項１〜６のいずれかの光スイッチにおいて、移動側コリメータが複数個設けられて、Ｍ×Ｎ光スイッチとされたことを特徴とする光スイッチ。
【発明の詳細な説明】
【技術分野】
【０００１】
この発明は、複数の固定側コリメータに対して移動側コリメータを移動させて光路切り替えを行う方式の光スイッチに関する。
【背景技術】
【０００２】
光スイッチとして、一方の光ファイバに取り付けたコリメータを固定的に整列配置し、他方の光ファイバに取り付けたコリメータを移動させることにより、一方側の光ファイバと他方側の光ファイバとの間の光路切り替えを行う光スイッチがある。
前記固定的に整列配置されるコリメータ（固定側コリメータ）は、平行かつ等間隔の複数の位置決め溝例えばＶ溝を設けたＶ溝基板の前記Ｖ溝に収容固定される。
前記等間隔に整列配置された固定側コリメータに対して、前記移動側のコリメータ（移動側コリメータ）を移動させて位置決め停止することにより、移動側光ファイバと固定側光ファイバとの間で光路の切り替えを行う。
【発明の開示】
【発明が解決しようとする課題】
【０００３】
上記従来の光スイッチにおいて、Ｖ溝基板はＶ溝の形状及び位置の精度を充分高くする必要があり、Ｖ溝基板の値段は高価である。
また、光スイッチの組み立てに際してＶ溝基板のＶ溝にコリメータを取り付けるには、非常に精密な作業が必要であり、多くの工数が掛かる。
【０００４】
本発明は上記従来の欠点を解消するためになされたもので、Ｖ溝等の位置決め溝を高精度に設けることを必要とせず、また、光スイッチの組み立てが容易な光スイッチを提供することを目的とする。
【課題を解決するための手段】
【０００５】
上記課題を解決する請求項１の発明の光スイッチは、複数本の固定側光ファイバにそれぞれ取り付けた複数個の固定側コリメータをその先端面を揃えた状態で、特別な位置決めをすることなく束ね、１本の移動側光ファイバに取り付けた１個の移動側コリメータを前記固定側コリメータ群に対向配置し、
移動側コリメータから光を出射した状態で、移動側コリメータを前記固定側コリメータ群の先端面と平行なｘ−ｙ平面内で移動させながら、各固定側コリメータを導通する光のレベルをモニターして、それぞれの固定側コリメータについて、導通した光パワーが最も強い時の移動側コリメータのｘ、ｙ座標をそれぞれの固定側コリメータの位置情報として記録するティーチング操作により作成した固定側コリメータ座標テーブルを備え、
光スイッチとして動作する時は、移動側コリメータを接続しようとする固定側コリメータの座標を前記固定側コリメータ座標テーブルから読み出して、この読み出した座標に移動側コリメータを移動させるように構成されていることを特徴とする。
【０００６】
請求項２の発明の光スイッチは、複数本の固定側光ファイバにそれぞれ取り付けた複数個の固定側コリメータをその先端面を揃えた状態で、特別な位置決めをすることなく直線状に配置し、１本の移動側光ファイバに取り付けた１個の移動側コリメータを前記固定側コリメータ群に対向配置し、
移動側コリメータから光を出射した状態で、移動側コリメータを前記固定側コリメータ群の先端面がなす直線と平行な直線上で移動させながら、各固定側コリメータを導通する光のレベルをモニターして、それぞれの固定側コリメータについて、導通した光パワーが最も強い時の移動側コリメータの直線上の座標をそれぞれの固定側コリメータの位置情報として記録するティーチング操作により作成した固定側コリメータ座標テーブルを備え、
光スイッチとして動作する時は、移動側コリメータを接続しようとする固定側コリメータの座標を前記固定側コリメータ座標テーブルから読み出して、この読み出した座標に移動側コリメータを移動させるように構成されていることを特徴とする。
【０００７】
請求項３の発明の光スイッチは、複数本の固定側光ファイバにそれぞれ取り付けた複数個の固定側コリメータをその先端面を揃えた状態で円周上に、特別な位置決めをすることなく並べて配置し、１本の移動側光ファイバに取り付けた移動側コリメータを前記固定側コリメータ群が配置された円周に対向配置し、
移動側コリメータから光を出射した状態で、移動側コリメータを前記固定側コリメータ群が配置された円周と対向して平行な円周内で移動させながら、各固定側コリメータを導通する光のレベルをモニターして、それぞれの固定側コリメータについて、導通した光パワーが最も強い時の移動側コリメータのｘ、ｙ座標をそれぞれの固定側コリメータの位置情報として記録するティーチング操作により作成した固定側コリメータ座標テーブルを備え、
光スイッチとして動作する時は、移動側コリメータを接続しようとする固定側コリメータの座標を前記固定側コリメータ座標テーブルから読み出して、この読み出した座標に移動側コリメータを移動させるように構成されていることを特徴とする。
【０００８】
請求項４の発明の光スイッチは、複数本の固定側光ファイバにそれぞれ取り付けた複数個の固定側コリメータをその先端面を揃えた状態で、特別な位置決めをすることなく束ね、１本の移動側光ファイバに取り付けた１個の移動側コリメータを前記固定側コリメータ群に対向配置し、
各固定側コリメータについてそれぞれ、特定の固定側コリメータから光を出射した状態で、移動側コリメータを前記固定側コリメータ群の先端面と平行なｘ−ｙ平面内で移動させながら、移動側コリメータを導通する光のレベルをモニターして、移動側コリメータを導通した光パワーが最も強い時の移動側コリメータのｘ、ｙ座標を、前記特定の固定側コリメータの位置情報として記録するティーチング操作により作成した固定側コリメータ座標テーブルを備え、
光スイッチとして動作する時は、移動側コリメータを接続しようとする固定側コリメータの座標を前記固定側コリメータ座標テーブルから読み出して、この読み出した座標に移動側コリメータを移動させるように構成されていることを特徴とする。
【０００９】
請求項５の発明の光スイッチは、複数本の固定側光ファイバにそれぞれ取り付けた複数個の固定側コリメータをその先端面を揃えた状態で、特別な位置決めをすることなく直線状に配置し、１本の移動側光ファイバに取り付けた１個の移動側コリメータを前記固定側コリメータ群に対向配置し、
各固定側コリメータについてそれぞれ、特定の固定側コリメータから光を出射した状態で、移動側コリメータを前記固定側コリメータ群の先端面がなす直線と平行な直線上で移動させながら、移動コリメータを導通する光のレベルをモニターして、移動側コリメータを導通した光パワーが最も強い時の移動側コリメータの直線上の座標を、前記特定の固定側コリメータの位置情報として記録するティーチング操作により作成した固定側コリメータ座標テーブルを備え、
光スイッチとして動作する時は、移動側コリメータを接続しようとする固定側コリメータの座標を前記固定側コリメータ座標テーブルから読み出して、この読み出した座標に移動側コリメータを移動させるように構成されていることを特徴とする。
【００１０】
請求項６の発明ほ光スイッチは、複数本の固定側光ファイバにそれぞれ取り付けた複数個の固定側コリメータをその先端面を揃えた状態で円周上に、特別な位置決めをすることなく並べて配置し、１本の移動側光ファイバに取り付けた移動側コリメータを前記固定側コリメータ群が配置された円周に対向配置し、
各固定側コリメータについてそれぞれ、特定の固定側コリメータから光を出射した状態で、移動側コリメータを前記固定側コリメータ群が配置された円周と対向して平行な円周内で移動させながら、移動側コリメータを導通する光のレベルをモニターして、移動側コリメータを導通した光パワーが最も強い時の移動側コリメータのｘ、ｙ座標を、前記特定の固定側コリメータの位置情報として記録するティーチング操作により作成した固定側コリメータ座標テーブルを備え、
光スイッチとして動作する時は、移動側コリメータを接続しようとする固定側コリメータの座標を前記固定側コリメータ座標テーブルから読み出して、この読み出した座標に移動側コリメータを移動させるように構成されていることを特徴とする。
【００１１】
請求項７の発明の光スイッチは、請求項１〜６のいずれかの光スイッチにおいて、移動側コリメータが複数個設けられて、Ｍ×Ｎ光スイッチとされたことを特徴とする。
【発明の効果】
【００１２】
請求項１又は４の発明の光スイッチによれば、複数個の固定側コリメータが、特別な位置決めなしに単に束ねられているだけなので、高精度にＶ溝を形成した高価なＶ溝基板を必要とせず、安価な光スイッチを提供することができる。
また、光スイッチの組み立てに際してＶ溝基板のＶ溝にコリメータを取り付けるという従来の非常に精密な作業は不要であり、この点でも安価な光スイッチを提供することができる。
【００１３】
請求項２又は５の発明の光スイッチによれば、複数個の固定側コリメータが、特別な位置決めなしに単に直線上に配置されているだけなので、請求項１と同様に、安価な光スイッチを提供することができる。
この場合、各固定側コリメータが直線上に配置されているので、移動側コリメータは単に直線上を移動する１次元の移動だけで済み、各固定側コリメータの位置情報を格納した固定側コリメータ座標テーブルを作成するために行うティーチング操作が容易である。
ただし、この場合は、固定側コリメータを配置する直線と移動側コリメータが移動する直線との間の精度は高くする必要がある。
【００１４】
請求項３又は６の光スイッチによれば、複数個の固定側コリメータが、円周上に、特別な位置決めなしに並べて配置されているだけなので、請求項１と同様に、安価な光スイッチを提供することができる。
この場合、各固定側コリメータが円周上に配置されているので、移動側コリメータは単に円周上を移動する１次元の移動だけで済み、各固定側コリメータの位置情報を格納した固定側コリメータ座標テーブルを作成するために行うティーチング操作が容易である。
ただし、この場合は、固定側コリメータを配置する円周と移動側コリメータが移動する円周との間の精度は高くする必要がある。
【発明を実施するための最良の形態】
【００１５】
以下、本発明を実施した光スイッチについて、図面を参照して説明する。
【実施例１】
【００１６】
図１は本発明の一実施例の光スイッチにおける固定側コリメータ１及び移動側コリメータ２の部分のみを模式的に示した斜視図、図２は上記光スイッチの製造に際して各固定側コリメータ１の座標をティーチングする要領を説明するための図、図３は各固定側コリメータ１の座標をティーチングする手順を説明するフローチャート、図４は図３のフローチャートによるティーチングの際に用いるメモリ上の座標設定作業テーブルを説明する図、図５は前記ティーチングによって得られるメモリ上の固定側コリメータ座標テーブルを説明する図、図６は本発明の光スイッチの全体システムを模式的に説明する図である。
【００１７】
複数本（図示例では１５本）の固定側光ファイバ１ａにそれぞれ取り付けた複数個の固定側コリメータ１は、その先端面を揃えた状態で、特別な位置決めをすることなく束ねられている。すなわち、複数個の固定側コリメータ１は単に積み重ねるか、横並びに密あるいは疎に配列しただけであり、各固定側コリメータ１間のピッチ精度は悪い。
これに対して、実施例では１本の光ファイバ２ａに取り付けた１個の移動側コリメータ２は、前記固定側コリメータ群に対向配置され、固定側コリメータ１群の先端面と平行なｘ−ｙ平面内で、ｘ方向（図２の横方向）及びｙ方向（図２の縦方向）にそれぞれ移動可能になっている。
移動側コリメータ２の移動は、例えば、図６に示すようにパルスモータ５あるいは精密サーボモータを用い、ＣＰＵ６で数値制御して移動させるようにしている。７は移動側コリメータ制御回路である。図示例の移動側コリメータ２は、移動ヘッド９で保持され、パルスモータ５で回転駆動されるボールネジ１０で送り移動される。
【００１８】
移動側光ファイバ２ａには光源１１が接続されている。
各固定側光ファイバ１ａには光パワーメータ１２がそれぞれ接続され、光源１１から移動側光ファイバ２ａに導光させた光を固定側光ファイバ１が受光した時は、いつでも受光した光のレベル（光パワー）を検出可能であり、そして、光パワーメータ１２が受光した光パワーのデータはＣＰＵ６に取り込まれるようになっている（デジタル変換部は省略）。
【００１９】
本発明の光スイッチを製造する際には、移動側コリメータ２から光を出射した状態で、移動側コリメータ２を固定側コリメータ１群の先端面と平行なｘ−ｙ平面内で移動させながら、各固定側コリメータ１を導通する光のレベルをモニターして、それぞれの固定側コリメータ１について、導通した光パワーが最も強い時の移動側コリメータ２のｘ、ｙ座標をそれぞれの固定側コリメータ１の位置情報として記録するティーチング操作を行って固定側コリメータ座標テーブル１４（図５、図６参照）を作成する。
そのティーチング操作について、図３のフローチャートを参照して説明する。
【００２０】
（ステップ１（Ｓ１））：予め、例えば図２のように、固定側コリメータ群の原点Ｏ及びＸ軸・Ｙ軸を定め、かつ、コリメータ群領域｛（０，０）、（Ｘａ、Ｙａ）｝を定める。
（ステップ２）：移動側光ファイバ２に光を導光させる（以後導光させ続ける）。また、各固定側光ファイバ１が受光した光パワーをパワーメータ１２で常時検出可能な状態にしておく。
（ステップ３）：移動側コリメータ２を原点Ｏに移動させる。
（ステップ４）：次いで、原点Ｏ位置から移動側光ファイバをＸ方向に移動させる（スキャンする）。
（ステップ５）：（移動側光ファイバをＸ方向に移動させながら）移動側光ファイバ端から出射する光を受光した固定側光ファイバについて、その固定側光ファイバから検出された光パワーを、その時の移動側光ファイバの座標（ｘ,ｙ）とともに、メモリの座標設定作業テーブル１３（図４、図６参照）に記録する。
この場合、各固定側コリメータから検出される光パワーは、移動側コリメータが当該固定側コリメータを通過する際に変動するが、その通過の際の最大の光パワーを記録する。
なお、図４における各マス（座標欄又は光パワー欄）に、いずれも単にｘ、ｙ（座標）又はＰ（光パワー）と記載したが、実際にはそれぞれに固有の数値である。
（ステップ６）：移動側光ファイバが固定側コリメータ群領域の横方向範囲限Ｘａに達したこと（移動側光ファイバ座標ｘ＞Ｘａ）を確認した時、移動側光ファイバをＹ軸位置（Ｘ＝０）に復帰させる。。
（ステップ７）：移動側光ファイバをＹ方向（図２で下方に）にスキャン間隔αだけ移動させる。
スキャン間隔αは、要求される光ファイバ位置決め精度に合わせて、例えば１μｍなどとする。
（ステップ８）：移動側光ファイバが固定側コリメータ群領域の縦方向範囲限Ｙａに達していない時（ＮＯ）は、Ｓ４（ステップ４）に復帰して、Ｓ４〜Ｓ７の動作を繰り返し行う。
移動側光ファイバが固定側コリメータ群領域の縦方向範囲限Ｙａに達したこと（移動側光ファイバ座標ｙ＞Ｙａ）を確認した時（ＹＥＳ）、移動側コリメータの移動を停止する。したがって、図２で座標Ｙａより下の破線矢印で示したスキャンは行われない
こうして、縦方向（Ｙ方向）に細分化した各位置での移動側コリメータによるスキャンを行って、メモリの座標設定作業テーブル１３を完成させる。
（ステップ９）：ＣＰＵは、完成した座標設定作業テーブル１３から、それぞれの固定側コリメータについて、その固定側光ファイバから検出された光パワーが最も大きくなった座標（ｘ,ｙ）を見いだし、その固定側光ファイバ位置を示す座標として、図５のような固定側コリメータ座標テーブル１４に記録する。
こうして、それぞれの固定側コリメータ毎にその位置情報である座標（ｘ、ｙ）が与えられた固定側コリメータ座標テーブル１４が得られる。
なお、図５における各マスに、座標としていずれも単にｘ、ｙと記載したが、実際にはそれぞれに固有の数値である。
【００２１】
上記のティーチング操作は自動的に行なわれる。
すなわち、ＣＰＵ６がＮＣ制御データを移動側コリメータ制御回路７に出力しパルスモータ５を駆動して移動側コリメータ２を移動させるので、移動側コリメータ２の座標はＣＰＵで常に把握されている。
したがって、ＣＰＵは固定側光ファイバ１に接続されている光パワーメータ１２からの光パワーデータを取り込んだ時、その光パワーデータとその時の移動側光ファイバの座標とを組みにして座標設定作業テーブル１３に格納することができる。
そして、この座標設定作業テーブ１３から、ステップ９の通り、各固定側光ファイバの座標を決定することができる。
【００２２】
光スイッチとして動作する時は、移動側コリメータ２を接続しようとする固定側コリメータ１の座標（ｘ、ｙ）を前記固定側コリメータ座標テーブル１４から読み出して、この読み出した座標（ｘ、ｙ）に移動側コリメータ２を移動させることで、移動コリメータ２と複数の固定側コリメータ１との間の光路の切り替えを行うことができる。
【００２３】
なお、上述した固定側光ファイバの座標設定方法は一例であり、その他種々の方法を採用できる。
例えば、上述とは逆に、光源を固定側光ファイバに接続し、光パワーメータを移動側光ファイバに接続して行うこともできる。
すなわち、光源を各固定側光ファイバにそれぞれ切り替えて入射できるようにし、かつ、光パワーメータを移動側光ファイバ２に接続して、移動側コリメータが受光した光のレベル（光パワー）をモニターできるようにしておく。
そして、例えば一番目（Ｎｏ．１）の固定側コリメータ１の座標を決定する場合、このNo.1固定側コリメータ１から光を出射した状態にしておき、移動側コリメータ２をＹ軸位置（Ｘ＝０）からＸ方向に移動させながら、移動側コリメータ２が受光して移動側光ファイバ２ａを導光する光のレベル（光パワー）を光パワーメータでモニターする、というスキャン動作をする。このスキャン動作を、移動側コリメータをＹ方向にスキャン間隔αだけ移動させながら、適宜回数行って、移動側コリメータ２が受光した光パワーが最大の時の座標をNo.1固定側コリメータの座標として記録する。
以下、同様のティーチング操作をNo.2以下の固定側コリメータについて行って、各固定側コリメータの座標を決定する。このような固定側光ファイバの座標設定方法を採用することもできる。
【実施例２】
【００２４】
図７に本発明の光スイッチの他の実施例を示す。
複数個の固定側コリメータ１は、その先端面を揃えた状態で直線１６上に、特別な位置決めをすることなく密あるいは疎に並べて配置されている。
これに対して、移動側コリメータ２は、前記固定側コリメータ群の先端面がなす直線１５と平行な直線１５’上を移動可能に配置されている。
この場合のティーチング操作は、移動側コリメータ１を直線１６’に沿って１回移動させることで行われ、これにより座標設定作業テーブが作成される。すなわち、Ｘ方向の移動のみでありＹ方向には移動はしない点で、実施例１の場合と異なる。その他の点は基本的には実施例１の場合と同じである。
また、光スイッチとして動作する時に、移動側コリメータを円周１６’に沿って移動させて、固定側コリメータ座標テーブルから読み出した座標の固定側コリメータに光路切り替えをすることも、実施例１と同様であり、その他詳細説明は省略する。
【００２５】
この図７の実施例においても、段落番号[００２０]で述べたと同様に、上述とは逆に、光源を固定側光ファイバに接続し、光パワーメータを移動側光ファイバに接続して行うこともできる。
【実施例３】
【００２６】
図８に本発明の光スイッチの他の実施例を示す。
複数個の固定側コリメータ１は、その先端面を揃えた状態で円周１５上に、特別な位置決めをすることなく密あるいは疎に並べて配置されている。
これに対して、移動側コリメータ２は、前記固定側コリメータ群が配置された円周１５に対向する円周１５’上を移動可能に配置されている。
この場合のティーチング操作は、移動側コリメータ１を円周１５’に沿って１回移動させることで行われ、これにより座標設定作業テーブが作成される。この点で、Ｘ方向の移動をＹ方向に少しずつシフトしながらスキャンを繰り返して座標設定作業テーブを作成する実施例１の場合と異なる。その他の点は基本的には実施例１の場合と同じである。
また、光スイッチとして動作する時に、移動側コリメータを円周１５’に沿って移動させて、固定側コリメータ座標テーブルから読み出した座標の固定側コリメータに光路切り替えをすることも、実施例１と同様であり、その他詳細説明は省略する。
【００２７】
この図８の実施例においても、段落番号[００２０]で述べたと同様に、上述とは逆に、光源を固定側光ファイバに接続し、光パワーメータを移動側光ファイバに接続して行うこともできる。
【実施例４】
【００２８】
上記の各実施例は１×Ｎ光スイッチであるが、移動側コリメータを複数個設けることで、Ｍ×Ｎ光スイッチを構成することができる。
例えば、図９のように、複数の固定側コリメータ１に対向して、例えば２つの移動側コリメータ２、２’を設けて、２×Ｎ光スイッチとすることができる。
この場合、一方の移動コリメータ例えば移動側コリメータ２を移動させる実施例１と同じティーチング操作をするだけで、座標設定作業テーブを作成することができ、これに基づいて固定側コリメータ座標テーブルを作成することができる。
光スイッチとして動作する場合は、２つの移動側コリメータ２、２’を、それぞれが選択しようとする固定側コリメータの座標を固定側コリメータ座標テーブルから読み出し個別に制御して、それぞれを所望の固定側コリメータ座標に移動させる。
移動側コリメータの数は上述の１つ又は２つに限らず、３つ以上とすることもできる。
【図面の簡単な説明】
【００２９】
【図１】本発明の一実施例の光スイッチにおける固定側コリメータ及び移動側コリメータの部分のみを模式的に示した斜視図である。
【図２】上記光スイッチの製造に際して各固定側コリメータの座標をティーチングする要領を説明するための図である。
【図３】各固定側コリメータの座標をティーチングする手順を説明するフローチャートである。
【図４】図３のフローチャートによるティーチングの際に用いるメモリ上の座標設定作業テーブルを説明する図である。
【図５】図４の座標設定作業テーブから得られるメモリ上の固定側コリメータ座標テーブルを説明する図である。
【図６】上記実施例の光スイッチの全体システムを模式的に説明する図である。
【図７】本発明の他の実施例の光スイッチを示すもので、図１に相当する図である。
【図８】本発明のさらに他の実施例の光スイッチを示すもので、図１に相当する図である。
【図９】本発明のさらに他の実施例の光スイッチを示すもので、図１に相当する図である。
【符号の説明】
【００３０】
１    固定側コリメータ
１ａ  固定側コリメータを取り付け固定側光ファイバ
２、２’    移動側コリメータ
２ａ  移動側コリメータを取り付け移動側光ファイバ
１３  座標設定作業テーブ
１４  固定側光ファイバ座標テーブル
１５  （固定側コリメータが配置される）円周
１５’（移動側コリメータが移動する軌跡の）円周
１６  （固定側コリメータが配置される）直線
１６’（移動側コリメータが移動する軌跡の）直線
【図１】
2010014940.tif 000003
【図２】
2010014940.tif 000004
【図３】
2010014940.tif 000005
【図４】
2010014940.tif 000006
【図５】
2010014940.tif 000007
【図６】
2010014940.tif 000008
【図７】
2010014940.tif 000009
【図８】
2010014940.tif 000010
【図９】
2010014940.tif 000011